(57)【要約】【課題】吸収体を交換することにより、複数回の使用に供することができる吸収体製品であって、１ピースタイプの吸収体製品と同程度またはそれ以上の吸収容量を有する吸収体製品の提供。【解決手段】着用時に着用者の対象部位が入る内部空間を形成しうる吸収体製品本体と、前記吸収体製品本体に隣接し、前記内部空間に連通するシート収納部と、前記シート収納部に収納される、高吸水性樹脂を含有し水性液を吸収しうる複数枚の高吸水性シートとを具備し、前記シート収納部が、前記水性液を供給された前記高吸水性シートを前記シート収納部から離脱させるための開口部を有する、吸収体製品。【選択図】図５
2004065857.tif 000002
【特許請求の範囲】
【請求項１】
着用時に着用者の対象部位が入る内部空間を形成しうる吸収体製品本体と、
前記吸収体製品本体に隣接し、前記内部空間に連通するシート収納部と、
前記シート収納部に収納される、高吸水性樹脂を含有し水性液を吸収しうる高吸水性シートと
を具備し、
前記シート収納部が、前記水性液を供給された前記高吸水性シートを前記シート収納部から離脱させるための開口部を有する、吸収体製品。
【請求項２】
前記高吸水性シートが、複数枚であり、かつ、前記シート収納部において、前記複数枚の高吸水性シートが、重なった状態で、かつ、着用者が水性液を排出した場合に前記水性液が最も吸収体製品本体に近い前記高吸水性シートに供給されるように配置される、請求項１に記載の吸収体製品。
【請求項３】
着用時に、前記シート収納部の前記開口部が外部空間に開口している請求項１または２に記載の吸収体製品。
【請求項４】
前記シート収納部が前記吸収体製品本体の前身頃に隣接して設けられ、かつ、前記開口部が前記シート収納部の上部にある請求項１〜３のいずれかに記載の吸収体製品。
【請求項５】
前記開口部が開閉自在である請求項１〜４のいずれかに記載の吸収体製品。
【請求項６】
前記開口部が伸縮性を有する請求項１〜５のいずれかに記載の吸収体製品。
【請求項７】
前記吸収体製品本体と前記シート収納部との連通部に、男性着用者の着用時に、ペニスを保持し、前記ペニスの尿道口を前記シート収納部内に位置させるペニス保持部材を具備する請求項１〜６のいずれかに記載の吸収体製品。
【請求項８】
前記吸収体製品本体と前記シート収納部とが水性液透過性シートを介して連通し、かつ、前記水性液透過性シートの両縁部の前記吸収体製品本体側に立体ギャザーを具備する請求項１〜６のいずれかに記載の吸収体製品。
【請求項９】
前記吸収体製品本体と前記シート収納部との連通部に、女性着用者の着用時に、一端が尿道口の周辺に当接し他端が前記シート収納部内に開口する液ガイドコネクタを具備する請求項１〜６のいずれかに記載の吸収体製品。
【請求項１０】
前記高吸水性シートに、前記開口部から前記シート収納部の外側に出るように延在する取出用部材が設けられている請求項１〜９のいずれかに記載の吸収体製品。
【請求項１１】
前記高吸水性シートが、
吸収体製品本体と遠い側の面に積層され、かつ、前記高吸水性シートに前記面の側で隣接する他の高吸水性シートとの摩擦を低減させるガイドシートを有する請求項１〜１０のいずれかに記載の吸収体製品。
【請求項１２】
前記ガイドシートが、前記開口部から前記シート収納部の外側に出るように延在する請求項１１に記載の吸収体製品。
【請求項１３】
前記高吸水性シートのそれぞれが水性液不透過性材料からなる袋に収納された状態で、前記シート収納部に収納され、
前記袋が、前記吸収体製品本体に近い側の面に切れ目を有し、前記切れ目により囲まれた切れ目部分が折り返されており、
折り返された前記切れ目部分の先端部が前記開口部から前記シート収納部の外側に出るように延在する請求項１〜１２のいずれかに記載の吸収体製品。
【請求項１４】
前記高吸水性シートが、前記高吸水性樹脂の含有量が５０質量％以上であり、かつ、厚さが１．５ｍｍ以下である請求項１〜１３のいずれかに記載の吸収体製品。
【請求項１５】
前記高吸水性シートが水崩壊性を有する請求項１〜１４のいずれかに記載の吸収体製品。
【発明の詳細な説明】
【０００１】
【発明の属する技術分野】
本発明は、本体（カバー）と吸収体とが一体化されていない２ピースタイプの吸収体製品、特に子供用、成人男性用、成人女性用、成人男女兼用等として好適に用いられる吸収体製品に関する。
【０００２】
【従来の技術】
従来、子供用オムツ、大人用オムツ、女性用生理用品等として用いられる吸収体製品としては、本体と吸収体とが一体化されている１ピースタイプ（使い捨てタイプ）の吸収体製品と、本体と吸収体とが一体化されていない２ピースタイプの吸収体製品とが知られている。
従来の２ピースタイプのオムツは、吸収容量を大きくするために吸収体を厚く大きくしなければならず、これにより本体も大きく嵩張ったものとなり、着用性が極めて悪いものとなっていた。このため、市場においては、ほとんどが１ピースタイプの吸収体製品となっているのが現状である。
【０００３】
また、失禁用の吸収体製品としては、実開昭６３−１８４０１２号公報に記載されている失禁パンツ、登録実用新案第３０７１８７８号公報に記載されている失禁処理手段を有する下穿き等が提案されている。
しかしながら、これらは吸収容量が数ｍＬから数十ｍＬ程度であることを前提としており、吸収容量が数百ｍＬ必要なオムツ用として使用することができる構造のものではない。
【０００４】
また、特開平６−１７８７９５号公報、特開平９−８４８２５号公報等において、使い捨てタイプのオムツに、補助的に吸収体を組み合わせたブースターパッド（補助パッド）タイプのオムツが記載されている。ブースターパッドは尿用パッドと俗称されるものであって、テープやギャザー付きの一体化した大きな吸収容量を有するオムツ本体との組み合わせで用いられるものであり、あくまでも補助的なものである。
また、メリヤス編みの下着に吸収性マットを組み合わせ、一体的に縫製した耐洗濯性を有する失禁パンツも商品化されているが、やはり吸収容量が数ｍＬから数十ｍＬ程度であることを前提としており、また、通常の下着に比べ、洗濯および乾燥にかかる時間がはるかに長いため、実用的な商品とはいえなかった。
【０００５】
【発明が解決しようとする課題】
本発明は、吸収体を交換することにより、複数回の使用に供することができる吸収体製品であって、１ピースタイプの吸収体製品と同程度またはそれ以上の吸収容量を有する吸収体製品を提供することを目的とする。
【０００６】
【課題を解決するための手段】
即ち、本発明は、以下の（１）〜（１５）を提供する。
【０００７】
（１）着用時に着用者の対象部位が入る内部空間を形成しうる吸収体製品本体と、
前記吸収体製品本体に隣接し、前記内部空間に連通するシート収納部と、
前記シート収納部に収納される、高吸水性樹脂を含有し水性液を吸収しうる高吸水性シートと
を具備し、
前記シート収納部が、前記水性液を供給された前記高吸水性シートを前記シート収納部から離脱させるための開口部を有する、吸収体製品。
【０００８】
（２）前記高吸水性シートが、複数枚であり、かつ、前記シート収納部において、前記複数枚の高吸水性シートが、重なった状態で、かつ、着用者が水性液を排出した場合に前記水性液が最も吸収体製品本体に近い前記高吸水性シートに供給されるように配置される、上記（１）に記載の吸収体製品。
【０００９】
（３）着用時に、前記シート収納部の前記開口部が外部空間に開口している上記（１）または（２）に記載の吸収体製品。
【００１０】
（４）前記シート収納部が前記吸収体製品本体の前身頃に隣接して設けられ、かつ、前記開口部が前記シート収納部の上部にある上記（１）〜（３）のいずれかに記載の吸収体製品。
【００１１】
（５）前記開口部が開閉自在である上記（１）〜（４）のいずれかに記載の吸収体製品。
【００１２】
（６）前記開口部が伸縮性を有する上記（１）〜（５）のいずれかに記載の吸収体製品。
【００１３】
（７）前記吸収体製品本体と前記シート収納部との連通部に、男性着用者の着用時に、ペニスを保持し、前記ペニスの尿道口を前記シート収納部内に位置させるペニス保持部材を具備する上記（１）〜（６）のいずれかに記載の吸収体製品。
【００１４】
（８）前記吸収体製品本体と前記シート収納部とが水性液透過性シートを介して連通し、かつ、前記水性液透過性シートの両縁部の前記吸収体製品本体側に立体ギャザーを具備する上記（１）〜（６）のいずれかに記載の吸収体製品。
【００１５】
（９）前記吸収体製品本体と前記シート収納部との連通部に、女性着用者の着用時に、一端が尿道口の周辺に当接し他端が前記シート収納部内に開口する液ガイドコネクタを具備する上記（１）〜（６）のいずれかに記載の吸収体製品。
【００１６】
（１０）前記高吸水性シートに、前記開口部から前記シート収納部の外側に出るように延在する取出用部材が設けられている上記（１）〜（９）のいずれかに記載の吸収体製品。
【００１７】
（１１）前記高吸水性シートが、
吸収体製品本体と遠い側の面に積層され、かつ、前記高吸水性シートに前記面の側で隣接する他の高吸水性シートとの摩擦を低減させるガイドシートを有する上記（１）〜（１０）のいずれかに記載の吸収体製品。
【００１８】
（１２）前記ガイドシートが、前記開口部から前記シート収納部の外側に出るように延在する上記（１１）に記載の吸収体製品。
【００１９】
（１３）前記高吸水性シートのそれぞれが水性液不透過性材料からなる袋に収納された状態で、前記シート収納部に収納され、
前記袋が、前記吸収体製品本体に近い側の面に切れ目を有し、前記切れ目により囲まれた切れ目部分が折り返されており、
折り返された前記切れ目部分の先端部が前記開口部から前記シート収納部の外側に出るように延在する上記（１）〜（１２）のいずれかに記載の吸収体製品。
【００２０】
（１４）前記高吸水性シートが、前記高吸水性樹脂の含有量が５０質量％以上であり、かつ、厚さが１．５ｍｍ以下である上記（１）〜（１３）のいずれかに記載の吸収体製品。
【００２１】
（１５）前記高吸水性シートが水崩壊性を有する上記（１）〜（１４）のいずれかに記載の吸収体製品。
【００２２】
【発明の実施の形態】
以下、本発明の吸収体製品を添付図面に示す好適実施形態に基づいて詳細に説明する。
【００２３】
図１〜図５は、本発明の吸収体製品の一例を示す模式図である。詳しくは、図１は斜視図、図２は正面図、図３は前身頃を内側から見た背面図、図４は前身頃の分解図、図５は男性着用者が着用した時の横部分断面図である。
本発明の吸収体製品１０は、着用時に着用者Ｍの対象部位が入る内部空間１２を形成しうる吸収体製品本体１４と、吸収体製品本体１４に隣接し、内部空間１２に連通するシート収納部１６と、シート収納部１６に収納される、高吸水性樹脂を含有し水性液を吸収しうる高吸水性シート１８とを具備する。
【００２４】
シート収納部１６においては、複数枚の高吸水性シート１８が、重なった状態で、かつ、着用者Ｍが水性液（例えば、尿）を排出した場合に前記水性液が最も吸収体製品本体１４に近い高吸水性シート１８に供給されるように配置されているが、本発明においては高吸水性シート１８は１枚であってもよい。
図５の例では、３枚の高吸水性シート１８（１８ａ、１８ｂおよび１８ｃ）が重なった状態でシート収納部１６に収納されている。
また、高吸水性シート１８は、着用者Ｍが水性液を排出した場合に、前記水性液が、高吸水性シート１８のうち最も吸収体製品本体１４に近い高吸水性シート１８ａに供給されるように配置されている。
【００２５】
シート収納部１６は、前記水性液を供給された高吸水性シート１８ａをシート収納部１６から離脱させるための開口部２０を有する。
【００２６】
図５に示されるように、本発明の吸収体製品１０においては、着用初期には、着用者が排出する水性液を高吸水性シート１８ａが吸収する。そして、高吸水性シート１８ａが、吸収能力の上限まで水性液を吸収したときまたはその前に、高吸水性シート１８ａを開口部２０から取り出して、シート収納部１６から離脱させる。
高吸水性シート１８ａをシート収納部１６から離脱させた状態を図６に示す。図６に示されるように、高吸水性シート１８ａを離脱させた状態においては、高吸水性シート１８ｂが吸収体製品本体１４に最も近くなっており、着用者Ｍが水性液を排出した場合に、水性液が供給される位置にある。したがって、今度は、高吸水性シート１８ｂが、吸収能力の上限まで水性液を吸収することができる。そして、上述したのと同様に、高吸水性シート１８ｂを離脱させることにより、高吸水性シート１８ｃにより水性液を吸収させることができるようになる。
【００２７】
このようにして、本発明の吸収体製品１０は、複数枚の高吸水性シート１８を交換することにより、複数回の使用に供することができる。
また、本発明の吸収体製品が、１枚の高吸水性シートのみを有している場合は、使用済みの高吸水性シートを、未使用の高吸水性シートと交換することにより、複数回の使用に供することができる。
【００２８】
吸収体製品本体１４は、平編み、例えば、メリヤス編みのニット製品であると、着用時のフィット性が良好になるので好ましい。
【００２９】
本発明に用いられる高吸水性シート１８は、ＳＡＰを主成分とする極薄のシート状吸収体である。高吸水性シート１８は、ＳＡＰの含有量が５０質量％以上であるのが好ましく、６０〜９５質量％であるのがより好ましい。本発明に用いられる高吸水性シート１８は、このようにＳＡＰの含有量が極めて高いため、厚さが極めて薄い。高吸水性シートの厚さは、複数枚の収納の容易性の点で、１．５ｍｍ以下であるのが好ましく、１ｍｍ以下であるのがより好ましい。
【００３０】
本発明に用いられる高吸水性シート１８は、ＳＡＰを主成分とする極薄のシート状吸収体であれば、構成や製造方法を特に限定されない。
例えば、Ａｉｒ　Ｌａｉｄ法で得られる高吸水性シートが挙げられる。ＡｉｒＬａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮｏｖａＴｈｉｎ（米国登録商標）、王子キノクロス社製のキノクロス（登録商標）が知られている。
また、ＳＡＰの分散スラリーを不織布等の水性液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のメガシン（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シートが挙げられる。
【００３１】
具体的には、特開昭６２−２７４１３号、特開昭６３−４３９３０号、特開平８−２４６３９５号、特開平９−１３７０７２号、特開平１０−１２０８１８号、特開平１０−１６８２３０号および特開２００１−９６６５４号の各公報等に記載されている高吸水性シートが挙げられる。
【００３２】
高吸水性シート１８は、吸収能力が同程度の従来のパルプを主体とする吸収体と比較した場合、極めて薄いため、上述したように複数枚を重ねて使用することができるのである。そして、重ねて用いた場合であっても、従来のパルプを主体とする吸収体に比べて、厚さが格段に薄いという利点を有する。
【００３３】
高吸水性シート１８は、水崩壊性（フラッシャブル性）を有するのが好ましい。ここで、「水崩壊性」とは、高吸水性シートが水と接触した場合に、水が高吸水性シートの内部に拡散・浸透し、ついで、高吸水性シートの素材が水中へ解離していき、最終的には水中に分散する性質をいう。具体的には、水中に浸せきさせた場合に、１分以内に分散状態となるのが好ましい。
高吸水性シートが水崩壊性を有すると、水性液を吸収した高吸水性シートを便器（トイレットボール）内に捨てた場合に、便器内の水に接触して、その構成素材が均一に水に分散する。したがって、便器に水を流して便器から排出させる際にも、配管等の閉塞が生じない。
このような水崩壊性を有する高吸水性シートとしては、例えば、特開２００１−２１４３９９号公報に記載されている水崩壊性高吸水性複合体が挙げられる。
【００３４】
シート収納部１６の内部表面を構成する材料は、防漏性を有するのが好ましい。ＳＡＰの含有率が高い高吸水性シートは、一般に、水性液の吸収速度が遅いが、水性液が供給された場合に、初めに高吸水性シート１８が吸収しきれない水性液をシート収納部１６の内部に貯留しておき、その後、高吸水性シート１８に貯留された水性液を吸収させるようにすることにより、水性液の全量を漏れを生じることなく取り扱うことができる。この場合、水性液はＳＡＰに固定されると、自由水としてはほとんど存在しなくなるので、高吸水性シート１８の表面は乾いた状態とほぼ同じようになる。
【００３５】
図１〜図５に示される例においては、着用時に、シート収納部１６の開口部２０が外部空間に開口しているが、これは本発明の吸収体製品の好ましい態様の一つである。シート収納部の開口部が外部空間に開口していると、本発明の吸収体製品を着用した状態で高吸水性シートの離脱を行うことができるという利点がある。
なお、後述する図１２で示される例のように、シート収納部が別室とならず、シート収納部の開口部が内部空間１２に開口しているものであってもよい。
【００３６】
図１〜図５に示される例においては、シート収納部１６が吸収体製品本体１４の前身頃に隣接した別室として設けられ、かつ、開口部２０がシート収納部１６の上部にあるが、これは本発明の吸収体製品の好ましい態様の一つである。シート収納部が吸収体製品本体の前身頃に隣接して設けられ、かつ、開口部がシート収納部の上部にあると、本発明の吸収体製品を着用した状態で高吸水性シートの離脱を行うことが容易にできるという利点がある。
【００３７】
本発明においては、開口部２０を開閉自在とすることができる。開口部が開閉自在であると、シート収納部１６内において、高吸水性シート１８の位置を安定させることができるし、収納している高吸水性シート１８の存在を外部から見えなくすることができる。開口部を開閉自在とする手段は、特に限定されず、例えば、ファスナー、マジックテープ（登録商標）が挙げられる。
【００３８】
本発明においては、開口部２０が伸縮性を有するものであるのが好ましい。開口部が伸縮性を有すると、高吸水性シート１８の離脱が容易となり、また、ファスナー、マジックテープ（登録商標）等の開口部を開閉自在とする手段を用いなくても、密閉性を持たせることができる。
また、図５に示される例においては、開口部２０に、蓋部材２１が設けられている。このような蓋部材２１を有すると、シート収納部１６内の水性液の逆流が防止され、また、高吸水性シート１８の収納の安定性が向上するので、好ましい。
【００３９】
図１〜図５に示される例においては、吸収体製品本体１４とシート収納部１６との連通部に、男性着用者Ｍｍ　の着用時に、ペニスＰを保持し、ペニスＰの尿道口Ｕをシート収納部１６内に位置させるペニス保持部材２２を具備する。
図示例においては、図３に示されるように、構成部材２２ａおよび２２ｂからなるペニス保持部材２２により、吸収体製品本体１４の内部空間とシート収納部１６との連通部に開口が形成されており、図５に示されるように、この開口にペニスＰを挿通させた状態で、ペニス保持部材２２が、ペニスＰの尿道口Ｕをシート収納部１６内に位置させている。ペニス保持部材の構造は、特に限定されず、上述した機能を果たすものであればよい。例えば、ペニス保持部材は、開口を有する１枚の布状部材など、一つの部材であってもよい。
このようなペニス保持部材を具備すると、尿が確実にシート収納部１６内部に排出されることになり、漏れが生じないという利点がある。
【００４０】
図７および図８は、本発明の吸収体製品の他の一例を示す模式図である。詳しくは、図７は着用時の上面図、図８は図７のＶＩＩ−ＶＩＩ線に沿った断面図である。図７および図８においては、着用者Ｍは図示していない。
図７および図８に示される本発明の吸収体製品１０′は、吸収体製品本体１４とシート収納部１６とが水性液透過性シート２４を介して連通し、かつ、水性液透過性シート２４の両縁部の吸収体製品本体１４側に立体ギャザー２６を具備する。
【００４１】
図７中、太線内は、水性液透過性シート２４のシート収納部１６側に、吸収体製品本体１４を構成する部材が存在しない連通部である。そして、水性液透過性シート２４の両縁部には、立体ギャザー２６が設けられている。
したがって、図７および図８に示される例においては、吸収体製品本体１４の内部空間１２に排出された水性液が、水性液透過性シート２４を介してシート収納部１６に流入し、高吸水性シート１８に吸収され、しかも立体ギャザー２６があるため、漏れが生じることがない。また、水性液透過性シート２４があるため、高吸水性シート１８が着用者に直接触れることがなく、着用感に優れ、かつ、不潔にならない。
【００４２】
水性液透過性シート２４は、一般に、スキンコンタクトシートとして用いられているものを用いることができる。具体的には、例えば、ＰＰ不織布、ポリオレフィン・ポリエステル不織布、これらと綿とを混紡したものを用いることができる。また、メッシュ素材を用いることもできる。
立体ギャザー２６は、従来公知の構成とすることができる。
図７および図８に示される吸収体製品は、用途を特に限定されないが、子供用に好適に用いることができる。
【００４３】
図９は、本発明の吸収体製品の更に他の一例を示す模式図である。詳しくは、図９は着用時の断面図である。
図９に示される本発明の吸収体製品１０″は、吸収体製品本体１４とシート収納部１６との連通部に、女性着用者Ｍｆ　の着用時に、一端が尿道口Ｕの周辺に当接し他端がシート収納部１６内に開口する液ガイドコネクタ２８を具備する。
【００４４】
図１０（Ａ）は、液ガイドコネクタ２８の一例を示す模式的な上面図であり、図１０（Ｂ）は、液ガイドコネクタ２８の分解図である。図９および図１０に示される液ガイドコネクタ２８は、液ガイド部材２８ａとコネクタ部材２８ｂとを有する。液ガイドコネクタ２８は、図１０（Ｂ）に示される液ガイド部材２８ａとコネクタ部材２８ｂとを、コネクタ部材２８ｂの切れ込み部分２８ｃに、液ガイド部材２８ａを挿着させて、図１０（Ａ）に示されるように組み合わせて得られる。
液ガイド部材２８ａは、親水性材料からなる。液ガイド部材２８ａは、一端が着用者Ｍｆ　の尿道口Ｕの周辺に当接し、他端がシート収納部１６内、好ましくは高吸水性シート１８上に、存在する。したがって、液ガイドコネクタ２８は、吸収体製品本体１４の内部空間１２に排出された水性液を、水性液透過性シート２４を介してシート収納部１６に流入させ、高吸水性シート１８に吸収させる。
【００４５】
液ガイドコネクタの構造は、特に限定されず、上述した機能を果たすものであればよい。
図１１（Ａ）〜（Ｃ）は、それぞれ液ガイドコネクタの他の例を示す模式的な断面図である。図１１（Ａ）に示される液ガイドコネクタ２９は、防漏性のリング部材２９ａと水性液透過性のコンタクト部材２９ｂとを有する。リング部材２９ａは、例えば、吸収体製品本体１４とシート収納部１６との連通部に設けられた水性液透過性シート２４′上に設けられ、コンタクト部材２９ｂは、リング部材２９ａを覆うように設けられる。
コンタクト部材２９ｂは、着用者Ｍｆ　の尿道口Ｕの周辺に当接しており、吸収体製品本体１４の内部空間１２に排出された水性液は、コンタクト部材２９ｂおよび水性液透過性シート２４′を介してシート収納部１６に流入する一方、水性液はリング部材２９ａによりリング部材２９ａの外側に漏れないようになっている。
【００４６】
図１１（Ｂ）に示される液ガイドコネクタ２９′は、図１１（Ａ）に示される液ガイドコネクタ２９に用いられるのと同様のリング部材２９ａと親水性材料からなるコンタクト部材２９ｂ′とを有する。リング部材２９ａは、例えば、吸収体製品本体１４とシート収納部１６との連通部に設けられた水性液透過性シート２４′上に設けられ、コンタクト部材２９ｂ′は、リング部材２９ａに挿着するように設けられる。
コンタクト部材２９ｂは、一端が着用者Ｍｆ　の尿道口Ｕの周辺に当接し、他端が水性液透過性シート２４′上に存在する。したがって、液ガイドコネクタ２９′は、吸収体製品本体１４の内部空間１２に排出された水性液を、水性液透過性シート２４′を介してシート収納部１６に流入させる。
【００４７】
図１１（Ｃ）に示される液ガイドコネクタ２９″は、図１１（Ａ）に示される液ガイドコネクタ２９に用いられるのと同様のリング部材２９ａからなる。図１１（Ｃ）の液ガイドコネクタ２９″においては、シート収納部１６内の高吸水性シート１８の表面の一部１８′がリング部材２９ａに挿着されている。
高吸水性シート１８の表面の一部１８′は、着用者Ｍｆ　の尿道口Ｕの周辺に当接しているため、吸収体製品本体１４の内部空間１２に排出された水性液は、直接高吸水性シート１８に吸収される。
【００４８】
このような液ガイドコネクタを具備すると、尿が確実にシート収納部１６内部に流入することになり、漏れが生じないという利点がある。なお、本発明において、液ガイドコネクタは、上述した例に限定されない。
【００４９】
図１２は、本発明の吸収体製品の更に他の一例を示す模式図である。詳しくは、図１２（Ａ）は正面図、図１２（Ｂ）は着用時の上面図、図１２（Ｃ）は断面図である。図１２においては、着用者Ｍは図示していない。
図１２に示される吸収体製品１１は、基本的に図７および図８に示される吸収体製品１０′と同様であるが、シート収納部１６′の開口部２０′が内部空間１２に開口している点で異なる。
図１２に示される吸収体製品は、用途を特に限定されないが、成人男女兼用として好適に用いることができる。
【００５０】
本発明においては、高吸水性シートに、開口部からシート収納部の外側に出るように延在する取出用部材が設けられているのが好ましい。
図１３は、取出用部材３０を有する高吸水性シート１８の（Ａ）側面図、（Ｂ）正面図および（Ｃ）背面図である。なお、図１３において、高吸水性シート１８は、矢印の向きが着用時に着用者Ｍの正面となる向きに、かつ、図中上側がシート収納部の開口部になるように、シート収納部内に収納される（図５参照。また、図１４および図１５において同じ。）。また、図１３においては、各高吸水性シート１８が互いに離間した状態で示されているが、これは理解を容易にするためであり、実際には各高吸水性シート１８は互いに接している（以下、同様）。
図１３の例においては、高吸水性シート１８ａ、１８ｂおよび１８ｃには、それぞれ、取出用部材３０ａ、３０ｂおよび３０ｃが設けられている。本発明においては、取出用部材が高吸水性シートの少なくとも１枚に設けられているのが好ましく、図１３の例のように、高吸水性シートのすべてに設けられているのがより好ましい。
【００５１】
図１、図５等に示されているように、取出用部材３０は、形状を特に限定されないが、開口部２０からシート収納部１６の外側に出るように延在する。水性液を吸収した高吸水性シート１８を交換する際には、取出用部材３０を持って引っ張り、高吸水性シート１８をシート収納部１６から離脱させればよい。
取出用部材３０は、このような機能を果たせば、どのようなかたちで高吸水性シート１８と結合していてもよい。例えば、接着剤、両面テープ等により接着されて結合している場合が挙げられる。また、取出用部材３０の材料は特に限定されず、紙、フィルム、布等が挙げられるが、取り出しやすさ、手の汚れの防止等の点から、水性液の浸透性の小さいフィルム；ポリプロピレン（ＰＰ）、ポリエチレン（ＰＥ）等で構成された疎水性不織布等が好ましい。
このように、高吸水性シートに取出用部材が設けられていると、使用後の高吸水性シートに触れることなく高吸水性シートを交換することができるので、手を汚すことがない。
【００５２】
本発明においては、高吸水性シートが、
吸収体製品本体と遠い側の面に積層され、かつ、高吸水性シートに前記面の側で隣接する他の高吸水性シートとの摩擦を低減させるガイドシートを有するのが好ましい。
図１４は、ガイドシート３２を有する高吸水性シート１８の（Ａ）側面図、（Ｂ）正面図および（Ｃ）背面図である。
図１４の例においては、高吸水性シート１８ａ、１８ｂおよび１８ｃには、それぞれ、ガイドシート３２ａ、３２ｂおよび３２ｃが設けられている。本発明においては、取出用部材が高吸水性シートの少なくとも１枚に設けられているのが好ましく、図１４の例のように、高吸水性シートのすべてに設けられているのがより好ましい。
ガイドシート３２ａは、高吸水性シート１８ａの吸収体製品本体１４と遠い側の面（図１４中では、左側）に積層され、かつ、高吸水性シート１８ａに前記面の側で隣接する他の高吸水性シート１８ｂとの摩擦を低減させる。このガイドシート３２ａにより、高吸水性シート１８ａの離脱が容易となる。
ガイドシート３２は、このような機能を果たせばよく、例えば、接着剤、両面テープ等により高吸水性シート１８に接着されて結合していることにより、上記機能を果たす。また、ガイドシートの材料は特に限定されないが、表面にシリコーンコーティングを施した、紙、フィルム、布等が好適に挙げられる。特に、ガイドシートが疎水性材料であると、水性液を吸収した高吸水性シート１８を離脱させる際に、開口部２０の周辺を汚すことがないので、好ましい。
【００５３】
ガイドシートの形状は、他の高吸水性シートとの摩擦を低減させるものであれば、特に限定されず、図１４の例のように高吸水性シート１８の全面を覆うシート状部材であってもよく、一部を覆うシート状部材であってもよく、他の形状を採ってもよい。ガイドシートが高吸水性シート１８の全面を覆うシート状部材であると、水性液を吸収した高吸水性シート１８を捨てる際に、ガイドシートが外側になるように丸めて廃棄すれば、高吸水性シート１８に直接触れずに捨てることができるので、好ましい。
【００５４】
中でも、ガイドシートが、開口部２０からシート収納部１６の外側に出るように延在するのが好ましい。即ち、図１３に示す取出用部材３０が、ガイドシートを兼ねるのが好適な態様の一つである。また、ガイドシート３２の他の好適な態様を図１５に示す。図１５は、ガイドシート３２′を有する高吸水性シート１８の（Ａ）側面図、（Ｂ）正面図および（Ｃ）背面図である。図１５の例においては、高吸水性シート１８ａ、１８ｂおよび１８ｃには、それぞれ、ガイドシート３２′ａ、３２′ｂおよび３２′ｃが設けられている。各ガイドシート３２′は、各高吸水性シート１８の全面を覆い、かつ、上述した取出用部材の機能を果たす。
【００５５】
本発明においては、
高吸水性シートのそれぞれが水性液不透過性材料からなる袋に収納された状態で、シート収納部に収納され、
前記袋が、吸収体製品本体に近い側の面に切れ目を有し、前記切れ目により囲まれた切れ目部分が折り返されており、
折り返された前記切れ目部分の先端部が前記開口部から前記シート収納部の外側に出るように延在するのが好ましい。
図１６は、水性液不透過性材料からなる袋に収納された高吸水性シートを示す背面図である。図１６において、高吸水性シート１８は、水性液不透過性材料からなる袋３４に収納されている。袋３４は高吸水性シート１８の吸収体製品本体１４に近い側の面に、切れ目３６を有し、切れ目３６により囲まれた切れ目部分３８が折り返されている。その結果、高吸水性シート１８の吸収体製品本体に近い側の面１９が露出している。
【００５６】
図１７は、水性液不透過性材料からなる袋に収納された高吸水性シートのシート収納部１６への収納状態を示す断面図である。図１７においては、着用者Ｍは図示していない。
図１７に示すように、それぞれ高吸水性シート１８ａ、１８ｂおよび１８ｃを収納する袋３４ａ、３４ｂおよび３４ｃの折り返された各切れ目部分３８ａ、３８ｂおよび３８ｃの先端部４０ａ、４０ｂおよび４０ｃが、開口部２０からシート収納部１６の外側に出るように延在している。
高吸水性シート１８ａ、１８ｂおよび１８ｃは、吸収体製品本体１４に近い側の面１９ａ、１９ｂおよび１９ｃが露出している。特に、最も吸収体製品本体１４に近い高吸水性シート１８ａの面１９ａは、吸収体製品本体１４の内部空間と連通しており、水性液が供給されるようになっている。
【００５７】
袋３４の材料は、水性液不透過性材料であれば特に限定されず、例えば、ＰＥフィルムが好適に挙げられる。
袋３４の大きさ、切れ目３６（切れ目部分３８）の形等は、特に限定されない。
また、高吸水性シート１８と袋３４とは、接着剤等により結合していてもよい。高吸水性シート１８と袋３４とが結合していると、切れ目部分３８を引っ張って取り出した場合であっても、両者が分離してしまうことがない。
【００５８】
この態様においては、袋３４が上述したガイドシートの機能を果たし、かつ、切れ目部分３８が上述した取出用部材の機能を果たす。
また、この態様においては、水性液を吸収した高吸水性シート１８を捨てる際に、切れ目部分３８を閉じた状態で廃棄すれば、高吸水性シート１８に直接触れずに捨てることができる。
【００５９】
以上、本発明の吸収体製品を添付図面に示す好適実施形態に基づいて説明したが、本発明はこれらに限定されず、本発明の要旨を逸脱しない範囲において、各種の変更や改良を行ってもよい。例えば、各部の構成は、同様の機能を発揮しうる任意の構成と置換することができる。
【００６０】
【発明の効果】
本発明の吸収体製品は、高吸水性シートを交換することにより、複数回の使用に供することができ、かつ、１ピースタイプの吸収体製品と同程度またはそれ以上の吸収容量を有する。
また、本発明の吸収体製品においては、高吸水性シートをすべて使用した後には、再度、未使用の高吸水性シートを１枚または複数枚収納させることにより、吸収体製品本体を捨てずに再利用することができる。
【図面の簡単な説明】
【図１】図１は、本発明の吸収体製品の一例の模式的な斜視図である。
【図２】図２は、本発明の吸収体製品の一例の模式的な正面図である。
【図３】図３は、本発明の吸収体製品の一例の前身頃を内側から見た背面図である。
【図４】図４は、本発明の吸収体製品の一例の前身頃の分解図である。
【図５】図５は、本発明の吸収体製品の一例の男性着用者が着用した時の横部分断面図である。
【図６】図６は、高吸水性シート１８ａをシート収納部１６から離脱させた状態の説明図である。
【図７】図７は、本発明の吸収体製品の他の一例の着用時の上面図である。
【図８】図８は、図７のＶＩＩ−ＶＩＩ線に沿った断面図である。
【図９】図９は、本発明の吸収体製品の更に他の一例の着用時の断面図である。
【図１０】図１０（Ａ）は、液ガイドコネクタ２８の一例を示す模式的な上面図であり、図１０（Ｂ）は、液ガイドコネクタ２８の分解図である。
【図１１】図１１（Ａ）〜（Ｃ）は、それぞれ液ガイドコネクタの他の例を示す模式的な断面図である。
【図１２】図１２は、本発明の吸収体製品の更に他の一例の（Ａ）正面図、（Ｂ）着用時の上面図および（Ｃ）断面図である。
【図１３】図１３は、取出用部材３０を有する高吸水性シート１８の（Ａ）側面図、（Ｂ）正面図および（Ｃ）背面図である。
【図１４】図１４は、ガイドシート３２を有する高吸水性シート１８の（Ａ）側面図、（Ｂ）正面図および（Ｃ）背面図である。
【図１５】図１５は、ガイドシート３２′を有する高吸水性シート１８の（Ａ）側面図、（Ｂ）正面図および（Ｃ）背面図である。
【図１６】図１６は、水性液不透過性材料からなる袋に収納された高吸水性シートを示す背面図である。
【図１７】図１７は、水性液不透過性材料からなる袋に収納された高吸水性シートのシート収納部１６への収納状態を示す断面図である。
【符号の説明】
１０、１０′、１０″、１１　吸収体製品
１２　内部空間
１４　吸収体製品本体
１６、１６′　シート収納部
１８、１８ａ、１８ｂ、１８ｃ　高吸水性シート
１８′　高吸水性シートの表面の一部
１９、１９ａ、１９ｂ、１９ｃ　高吸水性シートの吸収体製品本体に近い側の面
２０、２０′　開口部
２１　蓋部材
２２　ペニス保持部材
２２ａ、２２ｂ　ペニス保持部材の構成部材
２４、２４′　水性液透過性シート
２６　立体ギャザー
２８、２９、２９′、２９″　液ガイドコネクタ
２８ａ　液ガイド部材
２８ｂ　コネクタ部材
２９ａ　リング部材
２９ｂ、２９ｂ′　コンタクト部材
３０、３０ａ、３０ｂ、３０ｃ　取出用部材
３２、３２ａ、３２ｂ、３２ｃ、３２′、３２′ａ、３２′ｂ、３２′ｃ　ガイドシート
３４、３４ａ、３４ｂ、３４ｃ　袋
３６　切れ目
３８、３８ａ、３８ｂ、３８ｃ　切れ目部分
４０ａ、４０ｂ、４０ｃ　切れ目部分の先端部
Ｍ　着用者
Ｍｍ　　男性着用者
Ｍｆ　　女性着用者
Ｐ　ペニス
Ｕ　尿道口
【図１】
2004065857.tif 000003
【図２】
2004065857.tif 000004
【図３】
2004065857.tif 000005
【図４】
2004065857.tif 000006
【図５】
2004065857.tif 000007
【図６】
2004065857.tif 000008
【図７】
2004065857.tif 000009
【図８】
2004065857.tif 000010
【図９】
2004065857.tif 000011
【図１０】
2004065857.tif 000012
【図１１】
2004065857.tif 000013
【図１２】
2004065857.tif 000014
【図１３】
2004065857.tif 000015
【図１４】
2004065857.tif 000016
【図１５】
2004065857.tif 000017
【図１６】
2004065857.tif 000018
【図１７】
2004065857.tif 000019